(57)【特許請求の範囲】
【請求項１】
ＯＬＴと１対多で接続される複数のＯＮＵ間のアクセス制御を行う送信制御フレームを生成する構成であって、ＯＬＴからＯＮＵ方向を下りとしたときに、下り伝送速度Ａbps のＯＮＵ（以下、Ａ−ＯＮＵという）および下り伝送速度Ｂbps （Ａ＜Ｂ）のＯＮＵ（以下、Ｂ−ＯＮＵという）のアクセス制御を行う下り伝送速度Ａbps のＡ送信制御フレームおよび下り伝送速度Ｂbps のＢ送信制御フレームを生成する制御フレーム処理部と、
前記Ａ−ＯＮＵ宛てのＡ送信制御フレームおよびＡユーザフレームを蓄積し、前記Ｂ−ＯＮＵ宛てのＢ送信制御フレームとＢユーザフレームを蓄積するバッファ部と
を備え、前記バッファ部に蓄積した前記Ａ送信制御フレームおよびＡユーザフレームを多重化する送信処理部Ａに出力し、前記Ｂ送信制御フレームおよびＢユーザフレームを多重化する送信処理部Ｂに出力する制御フレーム処理回路において、
前記制御フレーム処理部は、前記下り伝送速度Ｂbps に対応する動作クロックで動作し、前記Ａ送信制御フレームおよび前記Ｂ送信制御フレームの各伝送速度を維持しながら、前記下り伝送速度Ａbps のフレーム間隔を保証した前記Ａ送信制御フレームと前記Ｂ送信制御フレームを時分割多重するとともに、それぞれの伝送速度を示すフラグを挿入したＡ／Ｂ送信制御フレームを出力する構成であり、
前記バッファ部は、前記Ａ／Ｂ送信制御フレームを蓄積し、前記フラグに応じて前記Ａ送信制御フレームおよび前記Ｂ送信制御フレームに分離し、前記送信処理部Ａおよび前記送信処理部Ｂにそれぞれ出力する構成である
ことを特徴とする制御フレーム処理回路。
【請求項２】
請求項１に記載の制御フレーム処理回路において、
前記制御フレーム処理部は、
前記Ａ−ＯＮＵのアクセス制御を行う複数のＡ送信制御フレームに対応する出力要求信号を前記伝送速度Ｂに対する前記伝送速度Ａの割合で有効とし、前記Ｂ−ＯＮＵのアクセス制御を行う複数のＢ送信制御フレームに対応する出力要求信号と出力調停する出力調停手段と、
前記Ａ送信制御フレームに対応する出力要求信号および前記Ｂ送信制御フレームに対応する出力要求信号に応じて前記Ａ／Ｂ送信制御フレームを作成して出力するＡ／Ｂ送信制御フレーム作成手段と
を備えたことを特徴とする制御フレーム処理回路。
【請求項３】
請求項１または請求項２に記載の制御フレーム処理回路において、
前記下り伝送速度Ａbps は１Ｇbps 、前記下り伝送速度Ｂbps は10Ｇbps である
ことを特徴とする制御フレーム処理回路。
【発明の詳細な説明】
【技術分野】
【０００１】
本発明は、局に設置されるＯＬＴ（Optical Line Terminal ：光加入者線終端装置）と、各ユーザ宅にそれぞれ設置される複数のＯＮＵ（Optical Network Unit：光加入者線ネットワーク装置）との間でポイント−マルチポイント通信を行うＰＯＮ（Passive Optical Network ）システムにおいて、伝送速度が異なるＯＮＵに対する制御フレームを生成する制御フレーム処理回路に関する。
【０００２】
なお、本明細書では、ＯＬＴからＯＮＵの下り伝送速度およびＯＮＵからＯＬＴの上り伝送速度がともに１Ｇbps または10Ｇbps となる場合、または上り伝送速度が１Ｇbps で下り伝送速度が10Ｇbps となる非対称の場合において、下り伝送速度が１Ｇbps または10Ｇbps の制御フレームを例に説明するが、伝送速度はこれに限定されるものではない。また、本明細書では下り伝送速度１Ｇbps を「１Ｇ」、下り伝送速度10Ｇbps を「10Ｇ」と表記するが、上り伝送速度が１Ｇbps で下り伝送速度が10Ｇbps となる場合は必要に応じて「非対称10Ｇ」と表記する。
【背景技術】
【０００３】
図１は、ＰＯＮシステムの構成例を示す（非特許文献１，２）。
図１において、ＰＯＮシステムは、局に設置されるＯＬＴ１０１と、各ユーザ宅にそれぞれ設置される複数ｍ個のＯＮＵ１０２と、ＯＬＴ１０１と複数ｍ個のＯＮＵ１０２を１：ｍに接続する光ファイバ１０３および光スプリッタ１０４とにより構成される。ＯＬＴ１０１には外部のネットワーク１０５が接続される。
【０００４】
ＰＯＮシステムでは、複数のＯＮＵ１０２から送信される上り信号が光スプリッタ１０４で束ねられてＯＬＴ１０１に届く。したがって、各ＯＮＵの上り信号の衝突が起こらないように、ＩＥＥＥ８０２．３およびＩＥＥＥ８０２．３ａｖでは、各ＯＮＵが上り信号を送信するタイミングを制御するＭＰＣＰ（Multi-point Control Protocol）を規定している。
【０００５】
図２は、ＯＬＴの構成例を示す。
図２において、ＯＬＴは、ＰＯＮ側送受信回路１１、１Ｇ受信処理部１２−１、10Ｇ受信処理部１２−２、制御フレーム処理回路１３、ブリッジ回路１４、外部ネットワーク側送受信回路１５、１Ｇ送信処理部１６−１、10Ｇ送信処理部１６−２により構成される。さらに、制御フレーム処理回路１３は、制御フレーム処理部１７およびバッファ部１８により構成される。
【０００６】
１Ｇ−ＯＮＵ、10Ｇ−ＯＮＵ、非対称10Ｇ−ＯＮＵからの上りフレームは、ＰＯＮ側送受信回路１１に入力して光信号から電気信号に変換され、伝送速度ごとに１Ｇ受信処理部１２−１および10Ｇ受信処理部１２−２へ出力される。１Ｇ受信処理部１２−１は、１Ｇ受信フレームを入力して１Ｇ受信制御フレームと１Ｇユーザフレームに振り分ける。10Ｇ受信処理部１２−２は、10Ｇ受信フレームを入力して10Ｇ受信制御フレームと10Ｇユーザフレームに振り分ける。ここで、制御フレームはＯＬＴとＯＮＵとの間で送受信されるフレームであり、ユーザフレームは制御フレーム以外のフレームである。１Ｇユーザフレームおよび10Ｇユーザフレームは、ブリッジ回路１４を介して外部ネットワーク側送受信回路１５から外部ネットワークへと出力される。
【０００７】
一方、１Ｇ受信制御フレームおよび10Ｇ受信制御フレームは、１Ｇ受信処理部１２−１および10Ｇ受信処理部１２−２からそれぞれ制御フレーム処理部１７に入力する。制御フレーム処理部１７は、１Ｇ−ＯＮＵ間および10Ｇ−ＯＮＵ間で、それぞれアクセス制御のためのディスカバリや上り信号制御を行う。ディスカバリでは、ＯＬＴがＰＯＮシステムに接続されたＯＮＵを自動的に発見し、ＯＮＵに固有の識別子（ＬＬＩＤ：Logical Link IDentifier ）の割り当てを行い、各ＯＮＵとの通信リンクを自動的に確立する制御を行う。上り信号制御では、各ＯＮＵからの上りフレームが光スプリッタで合流後に衝突しないように、各ＯＮＵに対してそれぞれの送信開始時刻と送信継続時間（送信量）を通知する帯域割当を行う。このような制御に用いる１Ｇ送信制御フレームおよび10Ｇ送信制御フレームは、図８(1) に示すように、制御フレーム処理部１７からそれぞれ独立にバッファ部１８に出力される。バッファ部１８は、外部ネットワークから入力する１Ｇユーザフレームおよび10Ｇユーザフレームと、制御フレーム処理部１７から入力する１Ｇ送信制御フレームおよび10Ｇ送信制御フレームをそれぞれ蓄積し、１Ｇ送信処理部１６−１および10Ｇ送信処理部１６−２に出力する。１Ｇ送信処理部１６−１は、１Ｇユーザフレームと１Ｇ送信制御フレームを多重化して１Ｇ下りフレームを生成し、10Ｇ送信処理部１６−２は、10Ｇユーザフレームと10Ｇ送信制御フレームを多重化して10Ｇ下りフレームを生成し、それぞれＰＯＮ側送受信回路１１に出力する。ＰＯＮ側送受信回路１１は、各下りフレームを電気信号から光信号に変換し、ＯＮＵへと送信する。各ＯＮＵは、送信制御フレームで通知されるそれぞれの帯域割当期間で上りフレームを送信する。
【０００８】
図３は、従来の制御フレーム処理部１７の構成例を示す。
図３において、制御フレーム処理部１７は、ＭＰＣＰ状態管理部１７１、１Ｇ出力調停部１７２、10Ｇ出力調停部１７３、１Ｇ制御フレーム作成部１７４、10Ｇ制御フレーム作成部１７５により構成される。１Ｇ受信処理部１２−１および10Ｇ受信処理部１２−２から入力する１Ｇ受信制御フレームおよび10Ｇ受信制御フレームは、ＭＰＣＰ状態管理部１７１に入力する。ＭＰＣＰ状態管理部１７１は、各イベントを契機としてＭＰＣＰ処理を実現する状態遷移マシーンで構成され、状態遷移マシーンの状態に応じて各種１Ｇ制御フレームに対応する１Ｇ出力要求信号＃１〜＃ｎ１を１Ｇ出力調停部１７２に出力し、また各種10Ｇ制御フレームに対応する10Ｇ出力要求信号＃１〜＃ｎ２を10Ｇ出力調停部１７３に出力する。また、ＭＰＣＰ状態管理部１７１は、非対称10Ｇ−ＯＮＵからの１Ｇ受信制御フレームを入力し、各種10Ｇ制御フレームに対応する10Ｇ出力要求信号を10Ｇ出力調停部１７３に出力する。
【０００９】
なお、１Ｇ出力要求信号＃１〜＃ｎ１は、１つの１Ｇ−ＯＮＵに対するｎ１種類の出力要求信号（例えばRegisterフレームやKeep aliveフレームの出力要求信号）を示す。10Ｇ出力要求信号＃１〜＃ｎ２についても同様であり、１つの10Ｇ−ＯＮＵに対するｎ２種類の出力要求信号を示す。また、ＭＰＣＰ状態管理部１７１は、複数の１Ｇ−ＯＮＵに対する出力要求信号および複数の10Ｇ−ＯＮＵに対する出力要求信号を出力することにより、それぞれ複数の１Ｇ−ＯＮＵおよび10Ｇ−ＯＮＵに対応する構成とすることができる。
【００１０】
１Ｇ出力調停部１７２および10Ｇ出力調停部１７３は、それそれ複数の出力要求信号から１つを選択し、選択した出力要求信号に対応した制御フレームを作成するように、１Ｇ制御フレーム作成部１７４および10Ｇ制御フレーム作成部１７５に出力指示信号を出力する。同時に、１Ｇ出力調停部１７２および10Ｇ出力調停部１７３は、当該出力要求信号を受理したことを要求受理信号としてＭＰＣＰ状態管理部１７１に通知し、ＭＰＣＰ状態管理部１７１はその出力要求を取り下げる。
【００１１】
１Ｇ制御フレーム作成部１７４および10Ｇ制御フレーム作成部１７５は、出力指示信号に応じた１Ｇ送信制御フレームおよび10Ｇ送信制御フレームを作成してバッファ部１８に出力し、出力完了信号を１Ｇ出力調停部１７２および10Ｇ出力調停部１７３に出力する。１Ｇ出力調停部１７２および10Ｇ出力調停部１７３は、この出力完了信号を受信すると、次の出力要求信号を選択する状態に移行する。
【００１２】
図４は、従来のバッファ部１８の構成例を示す。
図４において、バッファ部１８は、１Ｇ送信制御フレームバッファ１８１、１Ｇユーザフレームバッファ１８２、10Ｇ送信制御フレームバッファ１８３、10Ｇユーザフレームバッファ１８４により構成される。１Ｇ送信制御フレームバッファ１８１は、制御フレーム処理部１７から入力する１Ｇ送信制御フレームを蓄積する。１Ｇユーザフレームバッファ１８２は、ブリッジ回路１４から入力する１Ｇユーザフレームを蓄積する。１Ｇ送信処理部１６−１は、１Ｇ送信制御フレームバッファ１８１および１Ｇユーザフレームバッファ１８２に蓄積された１Ｇ送信制御フレームおよび１Ｇユーザフレームを多重化し、１Ｇ下りフレームを生成して出力する。10Ｇ送信制御フレームバッファ１８３は、制御フレーム処理部１７から入力する10Ｇ送信制御フレームを蓄積する。10Ｇユーザフレームバッファ１８４は、ブリッジ回路１４から入力する10Ｇユーザフレームを蓄積する。10Ｇ送信処理部１６−２は、10Ｇ送信制御フレームバッファ１８３および10Ｇユーザフレームバッファ１８４に蓄積された10Ｇ送信制御フレームおよび10Ｇユーザフレームを多重化し、10Ｇ下りフレームを生成して出力する。
【００１３】
なお、１Ｇ送信制御フレームおよび10Ｇ送信制御フレームは、それぞれ対応するＯＮＵに対して送信間隔が一定値以上になるように制御される。
【先行技術文献】
【非特許文献】
【００１４】
【非特許文献１】IEEE Std 802.3-2005: Part 3: Carrier sense multiple access with collision detection (CSMA/CD) access method and physical layer specifications
【非特許文献２】IEEE Std 802.3avTM -2009: Part3: Carrier Sense Multiple Access with Collision Detection (CSMA/CD) Access Method and Physical Layer Specifications
【発明の概要】
【発明が解決しようとする課題】
【００１５】
ＯＬＴにおける従来の制御フレーム処理回路１３では、１Ｇ送信制御フレームおよび10Ｇ送信制御フレームがそれぞれ独立に生成され、１Ｇユーザフレームおよび10Ｇユーザフレームとそれぞれ多重化される構成であった。すなわち、従来の制御フレーム処理回路１３の制御フレーム処理部１７は、図３に示すように、１Ｇ制御フレーム作成部１７４および10Ｇ制御フレーム作成部１７５をそれぞれ備える構成であり回路規模が大きい。また、従来のバッファ部１８は、図４に示すように、１Ｇ送信制御フレームおよび10Ｇ送信制御フレームに対して、それぞれ対応する１Ｇ送信制御フレームバッファ１８１および10Ｇ送信制御フレームバッファ１８３を備える構成であり回路規模が大きい。
【００１６】
本発明は、１Ｇ制御フレームおよび10Ｇ制御フレームに対応する制御フレーム処理部およびバッファ部の回路規模を低減することができる制御フレーム処理回路を提供することを目的とする。
【課題を解決するための手段】
【００１７】
本発明は、ＯＬＴと１対多で接続される複数のＯＮＵ間のアクセス制御を行う送信制御フレームを生成する構成であって、ＯＬＴからＯＮＵ方向を下りとしたときに、下り伝送速度Ａbps のＡ−ＯＮＵおよび下り伝送速度Ｂbps （Ａ＜Ｂ）のＢ−ＯＮＵのアクセス制御を行う下り伝送速度Ａbps のＡ送信制御フレームおよび下り伝送速度Ｂbps のＢ送信制御フレームを生成する制御フレーム処理部と、Ａ−ＯＮＵ宛てのＡ送信制御フレームおよびＡユーザフレームを蓄積し、Ｂ−ＯＮＵ宛てのＢ送信制御フレームとＢユーザフレームを蓄積するバッファ部とを備え、バッファ部に蓄積したＡ送信制御フレームおよびＡユーザフレームを多重化する送信処理部Ａに出力し、Ｂ送信制御フレームおよびＢユーザフレームを多重化する送信処理部Ｂに出力する制御フレーム処理回路において、制御フレーム処理部は、下り伝送速度Ｂbps に対応する動作クロックで動作し、Ａ送信制御フレームおよびＢ送信制御フレームの各伝送速度を維持しながら、下り伝送速度Ａbps のフレーム間隔を保証したＡ送信制御フレームとＢ送信制御フレームを時分割多重するとともに、それぞれの伝送速度を示すフラグを挿入したＡ／Ｂ送信制御フレームを出力する構成であり、バッファ部は、Ａ／Ｂ送信制御フレームを蓄積し、フラグに応じてＡ送信制御フレームおよびＢ送信制御フレームに分離し、送信処理部Ａおよび送信処理部Ｂにそれぞれ出力する構成である。
【００１８】
また、制御フレーム処理部は、Ａ−ＯＮＵのアクセス制御を行う複数のＡ送信制御フレームに対応する出力要求信号を下り伝送速度Ｂに対する下り伝送速度Ａの割合で有効とし、Ｂ−ＯＮＵのアクセス制御を行う複数のＢ送信制御フレームに対応する出力要求信号と出力調停する出力調停手段と、Ａ送信制御フレームに対応する出力要求信号およびＢ送信制御フレームに対応する出力要求信号に応じてＡ／Ｂ送信制御フレームを作成して出力するＡ／Ｂ送信制御フレーム作成手段とを備える。
【００１９】
また、下り伝送速度Ａbps は１Ｇbps 、下り伝送速度Ｂbps は10Ｇbps である。
【発明の効果】
【００２０】
本発明の制御フレーム処理回路は、Ａ送信制御フレームとＢ送信制御フレームをそれぞれの下り伝送速度に応じて時分割多重したＡ／Ｂ送信制御フレームを生成し、そのＡ／Ｂ送信制御フレームをＡ送信制御フレームとＢ送信制御フレームに分離してから各ユーザフレームと多重化する構成であるので、従来は下り伝送速度ごとに設けられていた制御フレーム作成部および制御フレームバッファをそれぞれ１つに集約することができる。これにより、制御フレーム処理回路およびＯＬＴ全体の回路規模を縮小することができる。
【００２１】
また、制御フレーム処理部は、早い方の下り伝送速度Ｂbps の動作クロックのみで設計することができるので、回路設計を容易にすることができる。これにより、制御フレーム処理部およびＯＬＴ全体の設計コストを低減することができる。
【図面の簡単な説明】
【００２２】
【図１】ＰＯＮシステムの構成例を示す図である。
【図２】ＯＬＴの構成例を示す図である。
【図３】従来の制御フレーム処理部１７の構成例を示す図である。
【図４】従来のバッファ部１８の構成例を示す図である。
【図５】本発明の制御フレーム処理回路を含むＯＬＴの構成例を示す図である。
【図６】本発明の制御フレーム処理回路における制御フレーム処理部１７の構成例を示す図である。
【図７】制御フレーム処理部１７の動作例を示すタイミングチャートである。
【図８】制御フレーム処理部１７の動作例を示すタイミングチャートである。
【図９】本発明の制御フレーム処理回路におけるバッファ部１８の構成例を示す図である。
【発明を実施するための形態】
【実施例１】
【００２３】
図５は、本発明の制御フレーム処理回路を含むＯＬＴの構成例を示す。
図５において、本実施例のＯＬＴは、制御フレーム処理回路１３の制御フレーム処理部１７およびバッファ部１８の構成が図２に示す従来のものと異なり、その他は同様の構成である。
【００２４】
制御フレーム処理部１７は、１Ｇ受信制御フレームおよび10Ｇ受信制御フレームを入力し、１Ｇ送信制御フレームおよび10Ｇ送信制御フレームを時分割多重した１Ｇ／10Ｇ送信制御フレームを生成してバッファ部１８に出力する。バッファ部１８は、１Ｇユーザフレームおよび10Ｇユーザフレームを蓄積するとともに、１Ｇ／10Ｇ送信制御フレームを蓄積し、１Ｇ送信制御フレームと10Ｇ送信制御フレームに分離して１Ｇ送信処理部１６−１および10Ｇ送信処理部１６−２にそれぞれ出力する。
【００２５】
図６は、本発明の制御フレーム処理回路における制御フレーム処理部１７の構成例を示す。
図６において、制御フレーム処理部１７は、ＭＰＣＰ状態管理部１７１、アンドゲート１７６、出力調停部１７７、１Ｇ／10Ｇ制御フレーム作成部１７８、出力間隔制御部１７９により構成される。
【００２６】
ＭＰＣＰ状態管理部１７１は、従来の制御フレーム処理部１７と同様に、１Ｇ受信制御フレームおよび10Ｇ受信制御フレームを入力し、状態遷移マシーンの状態に応じて１Ｇ出力要求信号＃１〜＃ｎ１および10Ｇ出力要求信号＃１〜＃ｎ２を出力する。ここで、１Ｇ出力要求信号＃１〜＃ｎ１は、それぞれ出力間隔制御部１７９から１Ｇ出力間隔有効信号を入力するアンドゲート１７６を介して出力間隔が調整されて出力調停部１７７に入力する。出力調停部１７７は、１Ｇ出力要求信号および10Ｇ出力要求信号から１つを選択し、１Ｇ／10Ｇ制御フレーム作成部１７８に対して選択した出力要求信号に対応した制御フレームの作成を指示する出力指示信号を出力するとともに、それが１Ｇ制御フレームであるか10Ｇ制御フレームであるかを示す１Ｇ／10Ｇ通知信号を出力する。同時に、出力調停部１７７は、当該出力要求信号を受理したことを要求受理信号としてＭＰＣＰ状態管理部１７１に通知し、ＭＰＣＰ状態管理部１７１はその出力要求を取り下げる。
【００２７】
なお、１Ｇ出力要求信号＃１〜＃ｎ１は、１つの１Ｇ−ＯＮＵに対するｎ１種類の出力要求信号を示す。10Ｇ出力要求信号＃１〜＃ｎ２は、１つの10Ｇ−ＯＮＵに対するｎ２種類の出力要求信号を示す。また、ＭＰＣＰ状態管理部１７１は、複数の１Ｇ−ＯＮＵに対する出力要求信号および複数の10Ｇ−ＯＮＵに対する出力要求信号を出力することにより、それぞれ複数の１Ｇ−ＯＮＵおよび10Ｇ−ＯＮＵに対応する構成とすることができる。
【００２８】
１Ｇ／10Ｇ制御フレーム作成部１７８は、10Ｇbps の動作クロックで動作し、出力指示信号に応じた１Ｇ送信制御フレームまたは10Ｇ送信制御フレームであり、かつ１Ｇ制御フレームであるか10Ｇ制御フレームであるかを示すフラグを挿入した１Ｇ／10Ｇ送信制御フレームを作成してバッファ部１８に出力する。また、１Ｇ／10Ｇ制御フレーム作成部１７８は、１Ｇ送信制御フレームを出力する場合には、１Ｇ出力通知信号を出力間隔制御部１７９に出力するとともに出力完了信号を出力調停部１７７に出力し、10Ｇ送信制御フレームを出力する場合には、出力完了信号のみを出力調停部１７７に出力する。
【００２９】
出力間隔制御部１７９は、１Ｇ出力通知信号に応じてアンドゲート１７６に出力する１Ｇ出力間隔有効信号をオフ（Low ）とし、１Ｇ出力要求信号＃１〜＃ｎ１が出力調停部１７７に入力されないように制御する。また、出力間隔制御部１７９は、１Ｇ出力間隔有効信号をオフにしてから、１Ｇ送信制御フレームのフレーム間隔の保証期間の経過後に１Ｇ出力間隔有効信号をオン（High）とし、１Ｇ出力要求信号＃１〜＃ｎ１が出力調停部１７７に入力されるように制御する。一方、出力調停部１７７は、１Ｇ／10Ｇ制御フレーム作成部１７８から出力完了信号を受信すると、次の出力要求信号を選択する状態に移行する。このとき、１Ｇ出力要求信号＃１〜＃ｎ１の入力がない状態では、10Ｇ出力要求信号＃１〜＃ｎ２の１つを選択することになる。
【００３０】
ここで、図７および図８を参照して制御フレーム処理部１７の動作例について説明する。
図７において、１Ｇ出力要求信号＃１，＃２と10Ｇ出力要求信号＃１が出力調停部１７７に入力されている状態であり、出力調停部１７７はまず１Ｇ出力要求信号＃１を選択する。そして、出力指示信号および１Ｇ制御フレームであることを示す１Ｇ／10Ｇ通知信号（本実施例では Lowレベル）を１Ｇ／10Ｇ制御フレーム作成部１７８に出力するとともに、１Ｇ要求受理信号＃１をＭＰＣＰ状態管理部１７１に出力し、ＭＰＣＰ状態管理部１７１はその１Ｇ出力要求信号＃１を取り下げる。
【００３１】
１Ｇ／10Ｇ制御フレーム作成部１７８は、１Ｇ出力要求信号＃１に対する出力指示信号および１Ｇ／10Ｇ通知信号により１Ｇ送信制御フレームを出力するとともに、１Ｇ出力通知信号を出力間隔制御部１７９に出力し、出力完了信号を出力調停部１７７に出力する。出力間隔制御部１７９は、１Ｇ出力通知信号に応じて１Ｇ出力間隔有効信号をオフ（Low ）とし、出力調停部１７７に入力する１Ｇ出力要求信号＃２をマスクする。したがって、出力調停部１７７は、出力完了信号に応じて10Ｇ出力要求信号＃１を選択し、出力指示信号および10Ｇ制御フレームであることを通知する信号（本実施例ではHighレベル）を１Ｇ／10Ｇ制御フレーム作成部１７８に出力するとともに、10Ｇ要求受理信号＃１をＭＰＣＰ状態管理部１７１に出力し、ＭＰＣＰ状態管理部１７１はその10Ｇ出力要求信号＃１を取り下げる。１Ｇ／10Ｇ制御フレーム作成部１７８は、10Ｇ要求受理信号＃１に対する出力指示信号および１Ｇ／10Ｇ通知信号により10Ｇ送信制御フレームを出力するとともに、出力完了信号を出力調停部１７７に出力する。
【００３２】
出力調停部１７７は、出力完了信号に応じて次の出力要求信号の選択に入るが、ここでは１Ｇ出力間隔有効信号がオフ（Low ）になっているために、１Ｇ出力要求信号＃２の選択は行わず、10Ｇ出力要求信号が入力されている場合にはその選択に入る。
【００３３】
出力間隔制御部１７９は、１Ｇ送信制御フレームのフレーム間隔の保証期間後に１Ｇ出力間隔有効信号をオン（High）とし、アンドゲート１７６を介して１Ｇ出力要求信号＃２を出力調停部１７７に入力する。これにより、１Ｇ出力要求信号＃１，＃２は、１Ｇ送信制御フレームのフレーム間隔で10Ｇ出力要求信号と出力調停され、出力指示信号として１Ｇ／10Ｇ制御フレーム作成部１７８に入力する。このとき、図８(2) に示すように、１Ｇ／10Ｇ制御フレーム作成部１７８から出力される１Ｇ送信制御フレームの伝送速度は１Ｇbps を維持し、10Ｇ送信制御フレームの伝送速度は10Ｇbps を維持するように時分割多重される。
【００３４】
図９は、本発明の制御フレーム処理回路におけるバッファ部１８の構成例を示す。
図９において、バッファ部１８は、１Ｇユーザフレームバッファ１８２、10Ｇユーザフレームバッファ１８４、１Ｇ／10Ｇ送信制御フレームバッファ１８５により構成される。
【００３５】
１Ｇ／10Ｇ送信制御フレームバッファ１８５は、制御フレーム処理部１７から入力する１Ｇ／10Ｇ送信制御フレームを蓄積し、１Ｇ／10Ｇフラグに応じて１Ｇ送信制御フレームと10Ｇ送信制御フレームに分離し、１Ｇ送信処理部１６−１および10Ｇ送信処理部１６−２にそれぞれ出力する。ここで、１Ｇ送信制御フレームは、10Ｇbps の動作クロックで生成されているものの、１Ｇ送信制御フレームのフレーム間隔が保証されているので、１Ｇ送信処理部１６−１は１Ｇ送信制御フレームと１Ｇユーザフレームを従来と同様に多重化し、１Ｇ下りフレームとして送信することができる。
【符号の説明】
【００３６】
１１  ＰＯＮ側送受信回路
１２−１  １Ｇ受信処理部
１２−２  10Ｇ受信処理部
１３  制御フレーム処理回路
１４  ブリッジ回路
１５  外部ネットワーク側送受信回路
１６−１  １Ｇ送信処理部
１６−２  10Ｇ送信処理部
１７  制御フレーム処理部
１７１  ＭＰＣＰ状態管理部
１７２  １Ｇ出力調停部
１７３  10Ｇ出力調停部
１７４  １Ｇ制御フレーム作成部
１７５  10Ｇ制御フレーム作成部
１７６  アンドゲート
１７７  出力調停部
１７８  １Ｇ／10Ｇ制御フレーム作成部
１７９  出力間隔制御部
１８  バッファ部
１８１  １Ｇ送信制御フレームバッファ
１８２  １Ｇユーザフレームバッファ
１８３  10Ｇ送信制御フレームバッファ
１８４  10Ｇユーザフレームバッファ
１８５  １Ｇ／10Ｇ送信制御フレームバッファ
【図１】
0005139497.tif 000002
【図２】
0005139497.tif 000003
【図３】
0005139497.tif 000004
【図４】
0005139497.tif 000005
【図５】
0005139497.tif 000006
【図６】
0005139497.tif 000007
【図７】
0005139497.tif 000008
【図８】
0005139497.tif 000009
【図９】
0005139497.tif 000010